(57)【要約】【課題】複数のタイルをオーバーラップ方式で壁面に配列する際の位置決め用のストッパ突起部であって、製造工程で歪みが発生しても位置決め機能が大きく低下したりあるいは損失したりすることのないストッパ突起部を有するタイルを提供する。【解決手段】このタイルは、矩形板状の本体部１０と、本体部１０の第１端縁に一体成形され、第１端縁の全長にわたって延びる第１空所２１を裏面側に有する第１帯板状端縁部２０と、本体部１０の第２端縁に一体成形され、第２端縁の全長にわたって延びる第２空所３１を表面側に有する第２帯板状端縁部３０とを備えている。第１帯板状端縁部２０の裏面には、第１帯板状端縁部２０が帯状に延びる方向に間隔をおいて配設された複数のストッパ突起部４１が一体に成形されている。【選択図】図２
0003125689.tif 000002
【実用新案登録請求の範囲】
【請求項１】
矩形板状の本体部と、該本体部の対向する二辺のうちの一辺に相当する第１端縁に一体成形され、該第１端縁の全長にわたって延びる第１空所を裏面側に有する第１帯板状端縁部と、該本体部の対向する該二辺のうちの他辺に相当する第２端縁に一体成形され、該第２端縁の全長にわたって延びる第２空所を表面側に有する第２帯板状端縁部とを備えたタイルであって、
前記第１帯板状端縁部は、該第１帯板状端縁部の裏面に一体成形され、該第１帯板状端縁部が帯状に延びる方向に間隔をおいて配設された複数のストッパ突起部を有していることを特徴とするタイル。
【請求項２】
前記ストッパ突起部は、前記第１空所に面する前記本体部の端面にも一体成形されている請求項１に記載のタイル。
【請求項３】
前記第１帯板状端縁部の裏面から突出する前記ストッパ突起部の突出高さｈが１〜５ｍｍであり、該第１帯板状端縁部が帯状に延びる方向における該ストッパ突起部の幅ｄが２〜２０ｍｍである請求項１又は２に記載のタイル。
【請求項４】
多数の気孔を内部に有する多孔体よりなる軽量タイルである請求項１乃至３のいずれか一つに記載のタイル。
【考案の詳細な説明】
【技術分野】
【０００１】
本考案は、壁面に複数配列されて接着施工されるタイルに関する。
【背景技術】
【０００２】
タイルは、建物の外壁等の壁面に接着施工される際、例えば、壁面の下方から上方に向かって順次、縦方向に配列される。このときの配列方式の一つして、オーバーラップ方式がある。このオーバーラップ方式では、下段に配置された下段タイルの上縁部の表面（前面）に、上段に配置される上段タイルの下縁部を被せるように配列することで、上段タイル及び下段タイル間における横方向の目地として、壁面が露出しないようにする。
【０００３】
このようなオーバーラップ方式に用いられるタイルとして、下段タイルに対して上段タイルの位置決めを容易かつ確実に行うために、位置決め用のストッパ突起部を有するものが知られている（例えば、特許文献１参照）。
【０００４】
この特許文献１に開示されたタイルでは、矩形板状のタイルの長手方向（横方向）全長にわたって一定断面で延びる段差が、タイルの上縁部の表面側及び下縁部の裏面側にそれぞれ設けられている。これにより、タイルの上縁部においては表面側に上側重合空所が設けられるとともに裏面側に上側重合体が設けられ、タイルの下縁部においては表面側に下側重合体が設けられるとともに裏面側に下側重合空所が設けられている。そして、タイルの下縁部において、下側重合空所に面する段差面（下側重合空所における下端面）に、該段差面から下方に向かって下側重合空所内に突出するストッパ突起部が設けられている。このストッパ突起部は、タイルの長手方向全長にわたって一定断面で延びる薄肉板状のものである。
【０００５】
このタイルを壁面の下方から上方に向かって順次接着する際には、下段タイルの上側重合体の上端面に対して、上段タイルの下縁部に設けられたストッパ突起部を当接させて位置決めしながら、下段タイルの上側重合空所内に上段タイルの下側重合体を配置させて下段タイルの上側重合体に上段タイルの下側重合体を被せる。これにより、下段タイルに対する上段タイルの位置決めを容易かつ確実に行うことができる。したがって、スペーサ等の別部材を用いることなく、横方向の目地幅を一定として仕上がり面の美観を向上させることが可能となる。
【特許文献１】特開２００５−３０７４９９号公報
【考案の開示】
【考案が解決しようとする課題】
【０００６】
ところで、タイルは通常、無機物等の原料粉末を所定形状に成形した後、その成形体を所定温度に焼成することにより製造される。この製造工程においては、タイルの肉厚が部分的に異なること等に起因して成形体の圧縮比が部分的に相違したり、あるいは成形体が焼成時に収縮したりする。このため、製造されたタイルには反り等の歪みが発生する場合がある。
【０００７】
ここに、前述した従来のタイルにおける前記ストッパ突起部は、薄肉板状であり、かつタイルの長手方向全長にわたって連続して延びて形成されていることから、前記歪みによる影響を大きく受ける。すなわち、前記従来のタイルにおいて仮に歪みが発生すると、タイルの長手方向全長に連続して延びたストッパ突起部が前記長手方向にわたって歪むことにより、タイルの短手方向（タイルの配列方向たる縦方向）に大きく変形する。ストッパ突起部がタイルの短手方向に大きく変形すれば、ストッパ突起部の位置決め機能も大きく低下する。また、前記長手方向全長に連続して延びた薄肉板状のストッパ突起部は、前記歪みの発生等により欠損し易いものである。
【０００８】
したがって、前記従来のタイルは、ストッパ突起部の位置決め機能が大きく低下したりあるいは損失したりし易いものであった。
【０００９】
特に、焼成時に焼失又は熱分解等により消失しうる消失粉末が混入された成形体を焼成することにより得られる、多数の気孔を有する多孔体よりなる軽量タイルの場合、焼成時に前記歪みが発生し易く、また、強度的にも弱くてクラックや欠損等が発生し易い。このため、前述した従来のタイルのような前記ストッパ突起部を軽量タイルに形成した場合、位置決め機能の低下又は損失の問題が顕著となる。
【００１０】
本考案は上記実情に鑑みてなされたものであり、複数のタイルをオーバーラップ方式で壁面に配列する際の位置決め用のストッパ突起部であって、製造工程で歪みが発生しても位置決め機能が大きく低下したりあるいは損失したりすることのないストッパ突起部を有するタイルを提供することを課題とするものである。
【課題を解決するための手段】
【００１１】
上記課題を解決する本考案のタイルは、矩形板状の本体部と、該本体部の対向する二辺のうちの一辺に相当する第１端縁に一体成形され、該第１端縁の全長にわたって延びる第１空所を裏面側に有する第１帯板状端縁部と、該本体部の対向する該二辺のうちの他辺に相当する第２端縁に一体成形され、該第２端縁の全長にわたって延びる第２空所を表面側に有する第２帯板状端縁部とを備えたタイルであって、前記第１帯板状端縁部は、該第１帯板状端縁部の裏面に一体成形され、該第１帯板状端縁部が帯状に延びる方向に間隔をおいて配設された複数のストッパ突起部を有していることを特徴とするものである。
【００１２】
本考案のタイルは、多数の気孔を内部に有する多孔体よりなる軽量タイルであることが好ましい。多孔体よりなる軽量タイルであれば、施工性、断熱性や防音性等を向上させる上で有利となる。
【００１３】
本考案のタイルは、本体部の第１端縁に一体成形され、裏面側に第１空所を有する第１帯板状端縁部と、本体部の第２端縁に一体成形され、表面側に第２空所を有する第２帯板状端縁部とを備えている。
【００１４】
第１空所及び第１帯板状端縁部は、本体部の第１端縁に沿って該第１端縁の全長にわたって帯状に延びている。同様に、第２空所及び第２帯板状端縁部は、本体部の第２端縁に沿って該第２端縁の全長にわたって帯状に延びている。
【００１５】
これら第１空所を有する第１帯板状端縁部及び第２空所を有する第２帯板状端縁部の断面形状や大きさは、第１帯板状端縁部と第２空所とが略対応するとともに、第２帯板状端縁部と第１空所とが略対応して、一のタイルの第１帯板状端縁部と、当該タイルに隣接する他の相手タイルの第２帯板状端縁部とを適正にオーバーラップさせうるものであれば、特に限定されない。好適には、第１帯板状端縁部と第２帯板状端縁部とは、同一又は略同一の形状及び大きさとすることできる。同様に、第１空所と第２空所とは、同一又は略同一の形状及び大きさとすることができる。
【００１６】
そして、第１帯板状端縁部の裏面には、この第１帯板状端縁部が帯状に延びる方向に間隔をおいて配設された複数のストッパ突起部が一体に成形されている。このストッパ突起部は、オーバーラップ方式で複数のタイルを配列する際に、一のタイルに対して他の相手タイルを容易かつ正確に位置決めするための、位置決め機能を発揮する。
【００１７】
ストッパ突起部の形状や大きさは、特に限定されず、前記位置決め機能が有効に発揮されうるように適宜設定することができる。例えば、第１帯板状端縁部が帯状に延びる方向に沿って切ったストッパ突起部の断面形状は、長方形状、正方形状や台形状等とすることができる。
【００１８】
また、ストッパ突起部の数は２個以上であれば特に限定されない。このストッパ突起部の数及び各ストッパ突起部同士の間隔は、第１帯板状端縁部が帯状に延びる長さに応じて、前記位置決め機能が有効に発揮されうるように適宜設定することができる。
【００１９】
ここに、製造工程等におけるストッパ突起部の変形や破損を極力防止する等の観点より、第１帯板状端縁部の裏面に一体成形されたストッパ突起部は、前記第１空所に面する前記本体部の端面にも一体成形されていることが好ましい。すなわち、ストッパ突起部は、第１帯板状端縁部の裏面及び第１空所に面する本体部の端面の両面に一体成形されていることが好ましい。こうすることで、ストッパ突起部の強度をより向上させることができる。
【００２０】
また、同様の観点より、第１帯板状端縁部の裏面から突出するストッパ突起部の突出高さｈが１〜５ｍｍ（より好ましくは２〜４ｍｍ）であることが好ましく、第１帯板状端縁部が帯状に延びる方向におけるストッパ突起部の幅ｄが２〜２０ｍｍ（より好ましくは２〜１０ｍｍ）であることが好ましい。
【００２１】
さらに、ストッパ突起部における前記位置決め機能をより有効に発揮させるという観点より、第１帯板状端縁部に複数配設される各ストッパ突起部の形状や大きさは、全て同一又は略同一であることが好ましい。また、同様の観点より、相手タイルの端面（第２帯板状端縁部の端面）が当接するストッパ突起部の端面（ストッパ機能を果たすストッパ端面）は、平坦面又は略平坦面であることが好ましい。
【００２２】
このタイルの使用方法の一例について、オーバーラップ方式により、例えば壁面の下方から上方に向かって縦方向に複数のタイルを配列して壁面に順次、接着施工する場合を説明する。このオーバーラップ方式では、下段に配置された一の下段タイルの上縁部の表面（前面）に、その上段に隣接配置される相手タイルとしての上段タイルの下縁部を被せるように配列する。
【００２３】
すなわち、下段タイルは、第２帯板状端縁部が上側となる向きで配置して壁面に接着しておく。そして、この下段タイルに対して、上段タイルを第１帯板状端縁部が下側となる向きで配列して、下段タイルの第２帯板状端縁部に上段タイルの第１帯板状端縁部を被せる。このとき、下段タイルの第１帯板状端縁部の上端面に対して、上段タイルの第１帯板状端縁部に設けられたストッパ突起部を当接させて位置決めしながら、下段タイルの第２空所内に上段タイルの第１帯板状端縁部を部分的に配置させて下段タイルの第２帯板状端縁部に上段タイルの第２帯板状端縁部を部分的に被せる。これにより、下段タイルに対する上段タイルの位置決めを容易かつ確実に行うことができる。
【００２４】
このように本考案のタイルは、オーバーラップ方式により壁面に接着施工される際に、
位置決め機能を発揮するストッパ突起部を有している。そして、本考案のタイルでは、このストッパ突起部が、第１帯板状端縁部の裏面に一体成形されるとともに、この第１帯板状端縁部が帯状に延びる方向に間隔をおいて複数配設されている。
【００２５】
間隔をおいて独立して配設された複数のストッパ突起部は、連続して延びて形成された従来のストッパ突起部と比較して、タイルの製造工程に発生する歪みによる影響が小さくなり、しかも歪みの発生による欠損も起こりにくい。このため、タイルの製造工程でたとえ歪みが発生したとしても、ストッパ突起部の位置決め機能が大きく低下したり、位置決め機能自体が損失したりするようなことを抑えることができる。また、仮に複数のストッパ突起部のうちの一部が破損して位置決め機能が大きく低下したり損失したりした場合であっても、破損していない他のストッパ突起部が位置決め機能を有効に発揮する。
【００２６】
したがって、本考案のタイルは、製造工程で歪みが発生し易い軽量タイルに適用した場合であっても、ストッパ突起部における位置決め機能を有効に発揮させることができる。
【考案の効果】
【００２７】
以上のとおり、本考案のタイルは、製造工程における歪みによる影響を受けにくいストッパ突起部を有する。このため、複数のタイルをオーバーラップ方式で壁面に配列する際に、このストッパ突起部は位置決め機能を有効に発揮するので、各タイルを容易かつ正確に位置決めすることができる。したがって、本考案のタイルによれば、スペーサ等の別部材を用いることなく、横方向の目地幅を一定として仕上がり面の美観を向上させることが可能となる。
【考案を実施するための最良の形態】
【００２８】
以下、本考案のタイルの具体的な実施形態について、図面を参照しつつ説明する。
【００２９】
図１は本実施形態のタイルの断面図であって、図３のＡ−Ａ線矢視断面図である。図２は本実施形態のタイルを２個壁面に接着施工した状態を示す断面図である。図３は本実施形態のタイルを表から見た正面図である。
【００３０】
このタイルは、多数の気孔を内部に有する多孔体よりなる軽量タイルであり、矩形板状の本体部１０と、第１帯板状端縁部２０と、第２帯板状端縁部３０とを一体に成形してなるものである。
【００３１】
第１帯板状端縁部２０は、本体部１０の上下に対向する二辺のうちの一辺（図３の下辺）に相当する第１端縁の表面側（図１及び図２の左側）に一体成形されている。この第１帯板状端縁部２０は、本体部１０の前記第１端縁の全長（本体部１０の長手方向の全長）にわたって帯状に延びている。また、第１帯板状端縁部２０の厚さは、本体部１０の厚さの半分程度とされている。これにより、第１帯板状端縁部２０の裏面２０ａ側には、本体部１０の前記第１端縁の全長にわたって延びる第１空所２１が形成されている。
【００３２】
第２帯板状端縁部３０は、本体部１０の上下に対向する二辺のうちの他辺（図３の上辺）に相当する第２端縁の裏面側（図１及び図２の右側）に一体成形されている。この第２帯板状端縁部３０は、本体部１０の前記第２端縁の全長（本体部１０の長手方向の全長）にわたって帯状に延びている。また、第２帯板状端縁部３０の厚さは、本体部１０の厚さの半分程度とされている。これにより、第２帯板状端縁部３０の表面３０ａ側には、本体部１０の前記第２端縁の全長にわたって延びる第２空所３１が形成されている。
【００３３】
これら第１帯板状端縁部２０と第２帯板状端縁部３０とは、同一又は略同一の形状及び大きさとされている。同様に、第１空所２１と第２空所３１とは、同一又は略同一の形状及び大きさとされている。
【００３４】
なお、第１帯板状端縁部２０の下端面２０ｂ及び第２帯板状端縁部３０の上端面３０ｂは、平坦面又は略平坦面とされている。また、第１空所２１に面する本体部１０の下端面１０ａ及び第２空所３１に面する本体部１０の上端面１０ｂは、傾斜面とされている。
【００３５】
そして、第１帯板状端縁部２０の裏面２０ａには、この第１帯板状端縁部２０が帯状に延びる方向（本体部１０の長手方向であって、図３の左右方向）に間隔をおいて配設された６個のストッパ突起部４１〜４６が一体に成形されている。このストッパ突起部４１〜４６は、オーバーラップ方式で複数のタイルを配列する際に、一のタイルに対して他の相手タイルを容易かつ正確に位置決めするための、位置決め機能を発揮する。具体的には、一のタイルにおける各ストッパ突起部４１〜４６の下端面（ストッパ端面）４１ａ〜４６ａが、他の相手タイルにおける第２帯板状端縁部３０の上端面３０ｂと当接することにより、位置決め機能が発揮される。
【００３６】
これらストッパ突起部４１〜４６のうち一のストッパ突起部４１についてのみ、以下詳述するが、これらストッパ突起部４１〜４６は全て略同一の形状及び大きさを有しているので、ストッパ突起部４１についての説明はそのまま他のストッパ突起部４２〜４６についての説明となる。
【００３７】
ストッパ突起部４１は、前記第１空所２１に面する本体部１０の下端面１０ａにも一体に成形されている。すなわち、ストッパ突起部４１は、第１帯板状端縁部２０の裏面２０ａ及び第１空所２１に面する本体部１０の下端面１０ａの両面に一体に成形されている。これにより、ストッパ突起部４１の強度がより向上している。
【００３８】
また、第１帯板状端縁部２０の裏面２０ａから突出するストッパ突起部４１の突出高さｈ（図１参照）と、第１帯板状端縁部２０が帯状に延びる方向におけるストッパ突起部４１の幅ｄとが、ｈ：ｄ＝２：３程度とされている。これにより、製造工程等におけるストッパ突起部４１の変形や破損をより効果的に防止できるようになっている。なお、このストッパ突起部４１の突出高さｈは、第１帯板状端縁部２０（第２帯板状端縁部３０）の厚さの１／４〜１／３程度とされている。また、このストッパ突起部４１の下端面（ストッパ端面）４１ａの形状（第１帯板状端縁部２０が帯状に延びる方向に沿って切ったストッパ突起部４１の断面形状）は、略長方形状とされている。
【００３９】
さらに、ストッパ突起部４１の下端面（ストッパ機能を果たすストッパ端面）４１ａは、平坦面とされている。これにより、ストッパ突起部４１における位置決め機能をより有効に発揮しうる。
【００４０】
ここに、本実施形態のタイルの各部における寸法について、好適な一例を以下に示す。
【００４１】
本体部１０の長手方向（本体部１０の横方向であって、図３の左右方向）長さ：２２４ｍｍ、本体部１０の短手方向（本体部１０の縦方向であって、図３の上下方向）長さ：４７ｍｍ、第１帯板状端縁部２０及び第２帯板状端縁部３０の長手方向長さ：２２４ｍｍ、第１帯板状端縁部２０及び第２帯板状端縁部３０の短手方向長さ：８ｍｍ、本体部１０の厚さ：１５ｍｍ、第１帯板状端縁部２０及び第２帯板状端縁部３０の厚さ：７ｍｍ、ストッパ突起部４１〜４６の突出高さｈ：２ｍｍ、ストッパ突起部４１〜４６の幅ｄ：３ｍｍ、ストッパ突起部４１〜４６の長さ（第１帯板状端縁部２０の短手方向における長さ）：４ｍｍである。また、ストッパ突起部４１及び４２同士の間隔、ストッパ突起部４３及び４４同士の間隔並びにストッパ突起部４５及び４６同士の間隔がそれぞれ２７ｍｍであり、ストッパ突起部４２及び４３同士の間隔並びにストッパ突起部４４及び４５同士の間隔がそれぞれ５２ｍｍである。
【００４２】
本実施形態のタイルは、基本的には、公知の軽量タイルと同様の方法により、製造することができる。具体的には、陶石や良質の粘土を主原料とし、長石や石英を混ぜるとともに、焼成時に焼失する紙（粉砕古紙等）や熱分解により消失しうる消失粉末（ＳｉＣ等）を混ぜてから、プレス機等により所定形状に成形し、乾燥後、１２００〜１５００℃程度で焼成することにより、製造することができる。また、タイルの表面（図１及び図２の左側の面）を施釉することにより、美観、強度や耐食性を向上させることができる。
【００４３】
以下、本実施形態に係るタイルの使用方法の好適な一例として、オーバーラップ方式により、建物の外壁等の壁面の下方から上方に向かって縦方向に複数のタイルを配列して、壁面に順次、接着施工する場合を説明する。
【００４４】
このオーバーラップ方式では、図２に示されるように、下段に配置された一の下段タイルＴｄの上縁部の表面（前面）に、その上段に隣接配置される相手タイルとしての上段タイルＴｕの下縁部を被せるように配列する。
【００４５】
すなわち、下段タイルＴｄは、第２帯板状端縁部３０が上側となる向きで配置して壁面Ｋに接着剤等により接着しておく。そして、この下段タイルＴｄに対して、上段タイルＴｕを第１帯板状端縁部２０が下側となる向きで配列して、下段タイルＴｄの第２帯板状端縁部３０に上段タイルＴｕの第１帯板状端縁部２０を被せる。このとき、下段タイルＴｄの第１帯板状端縁部３０の上端面３０ｂに対して、上段タイルＴｕの第１帯板状端縁部２０に設けられたストッパ突起部４１〜４６を当接させて位置決めしながら、下段タイルＴｄの第２空所３１内に上段タイルＴｕの第１帯板状端縁部２０を部分的に配置させて下段タイルＴｄの第２帯板状端縁部３０に上段タイルＴｕの第２帯板状端縁部２０を部分的に被せる。そして、この状態で、上端タイルＴｕの裏面（本体部１０の裏面及び第２帯板状端縁部３０の裏面）を壁面Ｋに接着する。これにより、下段タイルＴｕに対する上段タイルの位置決めを容易かつ確実に行うことができる。
【００４６】
本実施形態のタイルでは、オーバーラップ方式により壁面Ｋに接着施工される際に位置決め機能を発揮する複数のストッパ突起部４１〜４６が、第１帯板状端縁部２０の裏面２０ａに一体成形されるとともに、この第１帯板状端縁部２０が帯状に延びる方向に間隔をおいて配設されている。
【００４７】
このように間隔をおいて独立して配設された複数のストッパ突起部４１〜４６は、連続して延びて形成された従来のストッパ突起部と比較して、タイルの製造工程に発生する歪みによる影響が小さくなり、しかも歪みの発生による欠損も起こりにくい。このため、タイルの製造工程でたとえ歪みが発生したとしても、ストッパ突起部４１〜４６の位置決め機能が大きく低下したり、位置決め機能自体が損失したりするようなことを抑えることができる。また、仮に複数のストッパ突起部４１〜４６のうちの一部が破損して位置決め機能が大きく低下したり損失したりした場合であっても、破損していない他のストッパ突起部が位置決め機能を有効に発揮する。
【００４８】
したがって、本実施形態のタイルは、製造工程で歪みが発生し易い軽量タイルに適用しているにもかかわらず、ストッパ突起部４１〜４６における位置決め機能を有効に発揮させることができる。よって、本実施形態のタイルによれば、スペーサ等の別部材を用いることなく、横方向の目地幅を一定として仕上がり面の美観を向上させることが可能となる。
【００４９】
また、本実施形態のタイルは、多数の気孔を内部に有する多孔体よりなる軽量タイルであるため、施工性、断熱性や防音性等を向上させる上で有利となる。
【００５０】
なお、前述の実施形態では、本考案を長方形状のタイルに適用する例について説明したが、正方形状のタイルに本考案を適用しうることは勿論である。
【００５１】
また、本考案のタイルの使用方法も前述の実施形態で説明した例に限られない。例えば、壁面に対して横方向に順次配列したり、あるいは床面や天井に配列したりする場合にも、本考案のタイルを適用しうる。
【図面の簡単な説明】
【００５２】
【図１】本実施形態のタイルの断面図であって、図３のＡ−Ａ線矢視断面図である。
【図２】本実施形態のタイルを２個壁面に接着施工した状態を示す断面図である。
【図３】本実施形態のタイルを表から見た正面図である。
【符号の説明】
【００５３】
１０：本体部                ２０：第１帯板状端縁部
２０ａ：裏面                ２１：第１空所    
３０：第２端縁部            ３１：第２空所
４１〜４６：ストッパ突起部
【図１】
0003125689.tif 000003
【図２】
0003125689.tif 000004
【図３】
0003125689.tif 000005